(57)【要約】【課題】外部に漏れるノイズの低減と小型化を図る。【解決手段】電源装置１は、外部電源と電気的に接続される入力端子部１０と、入力端子部１０と電気的に接続されるフィルタ回路１１と、外部電源からフィルタ回路１１を通して入力する電力を電力変換する電力変換回路とを備える。電源装置１は、電気的な導体及び導体を覆う電気的な絶縁体を有する回路部品１５を備える。回路部品１５は、フィルタ回路１１と電力変換回路の間の空間に配置されている。【選択図】        図２
2020053231.tif 000002
【特許請求の範囲】
【請求項１】
外部電源と電気的に接続される入力端子部と、
前記入力端子部と電気的に接続されるフィルタ回路と、
前記外部電源から前記フィルタ回路を通して入力する電力を電力変換する電力変換回路と、
電気的な導体及び前記導体を覆う電気的な絶縁体を有する回路部品と、
を備え、
前記回路部品は、前記フィルタ回路と前記電力変換回路の間の空間に配置されている、
電源装置。
【請求項２】
前記回路部品は、前記電力変換回路の安定電位と電気的に接続されている、
請求項１記載の電源装置。
【請求項３】
前記回路部品は、前記電力変換回路よりも前記フィルタ回路に近い位置に配置されている、
請求項１又は２記載の電源装置。
【請求項４】
前記回路部品は、前記導体と電気的に接続され、かつ、前記絶縁体から突き出た１乃至複数のリードを有する、
請求項１〜３のいずれか１項に記載の電源装置。
【請求項５】
少なくとも前記フィルタ回路及び前記電力変換回路が形成される回路基板を備え、
前記回路部品は、前記１乃至複数のリードによって前記回路基板の部品実装面に挿入実装されている、
請求項４記載の電源装置。
【請求項６】
前記回路部品は、前記導体である金属板を有する金属板抵抗器である、
請求項１〜５のいずれか１項に記載の電源装置。
【請求項７】
前記電力変換回路は、インダクタンスを有する第１回路素子を備え、
前記フィルタ回路は、インダクタンスを有する第２回路素子を備え、
前記回路部品は、前記第１回路素子と前記第２回路素子の間の空間に配置されている、
請求項１〜６のいずれか１項に記載の電源装置。
【請求項８】
請求項１〜７のいずれかの電源装置を備え、
前記電源装置から、負荷である光源に電力を供給して前記光源を点灯させる、
点灯装置。
【請求項９】
請求項８の点灯装置と、
前記点灯装置によって点灯させられる光源と、
少なくとも前記光源を保持する器具本体と、
を備える、
照明器具。
【発明の詳細な説明】
【技術分野】
【０００１】
本開示は、電源装置、点灯装置、及び照明器具に関する。より詳細には、輻射ノイズを放射する部品を有する電源装置、当該電源装置を有する点灯装置、及び当該点灯装置を有する照明器具に関する。
【背景技術】
【０００２】
従来例として、特許文献１記載の点灯装置を例示する。特許文献１記載の点灯装置は、ラインフィルタと、整流回路と、フライバック回路と、バックコンバータ回路とを備える。フライバック回路は、整流回路の出力端間に１次側巻線が電気的に接続されたトランスと、トランスの１次側巻線に流れる電流を断続するスイッチング素子とを備える。
【先行技術文献】
【特許文献】
【０００３】
【特許文献１】特開２０１７−９７９６０号公報
【発明の概要】
【発明が解決しようとする課題】
【０００４】
ところで、従来例のようにトランスとスイッチング素子を有する回路（フライバック回路）においては、スイッチング素子のスイッチングによってトランスから放射されるノイズが外部（従来例の点灯装置などが接続されている電力系統など）に漏れる可能性がある。外部に漏れるノイズを低減する方法として、ノイズ源（例えば、トランス）と入力端子などとの距離を離すという方法、あるいは、ノイズ源を導体（金属板など）で覆う方法などがある。しかしながら、前記方法では点灯装置の小型化を図ることが困難になるなどのデメリットが生じる。
【０００５】
本開示の目的は、外部に漏れるノイズの低減と小型化を図ることができる電源装置、点灯装置、及び照明器具を提供することである。
【課題を解決するための手段】
【０００６】
本開示の一態様に係る電源装置は、外部電源と電気的に接続される入力端子部と、前記入力端子部と電気的に接続されるフィルタ回路とを備える。前記電源装置は、前記外部電源から前記フィルタ回路を通して入力する電力を電力変換する電力変換回路と、電気的な導体及び前記導体を覆う電気的な絶縁体を有する回路部品とを備える。前記回路部品は、前記フィルタ回路と前記電力変換回路の間の空間に配置されている。
【０００７】
本開示の一態様に係る点灯装置は、前記電源装置を備える。前記点灯装置は、前記電源装置から、負荷である光源に電力を供給して前記光源を点灯させる。
【０００８】
本開示の一態様に係る照明器具は、前記点灯装置と、前記点灯装置によって点灯させられる光源と、少なくとも前記光源を保持する器具本体とを備える。
【発明の効果】
【０００９】
本開示の電源装置、点灯装置、及び照明器具は、外部に漏れるノイズの低減と小型化を図ることができるという効果がある。
【図面の簡単な説明】
【００１０】
【図１】図１は、本開示の実施形態に係る電源装置（点灯装置）の回路図である。
【図２】図２は、同上の電源装置（点灯装置）の平面図である。
【図３】図３は、同上の電源装置（点灯装置）の斜視図である。
【図４】図４は、同上の電源装置（点灯装置）の回路部品である金属板抵抗器の断面斜視図である。
【図５】図５Ａは、同上の電源装置（点灯装置）の回路部品であるバリスタの部分断面図である。図５Ｂは、同上のバリスタの側面断面図である。
【図６】図６Ａは、同上の電源装置（点灯装置）の回路部品であるセラミックコンデンサの部分断面図である。図６Ｂは、同上のセラミックコンデンサの側面断面図である。
【図７】図７Ａは、同上の電源装置（点灯装置）の回路部品であるインダクタの正面図である。図７Ｂは、同上のインダクタの側面図である。
【図８】図８は、本開示の実施形態に係る照明器具の斜視図である。
【発明を実施するための形態】
【００１１】
下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１２】
実施形態に係る電源装置１は、光源を負荷としている。つまり、電源装置１は、光源を負荷とする点灯装置の実施形態である。ただし、本開示の実施形態に係る電源装置の負荷は光源に限定されない。例えば、本開示の実施形態に係る電源装置の負荷は、二次電池を充電する充電回路、モータを駆動する駆動回路などの直流電源を必要とする回路全般が含まれる。
【００１３】
電源装置１の負荷である光源は、図１に示すように、ＬＥＤモジュール２である。ＬＥＤモジュール２は、複数の照明用白色ＬＥＤ（Light Emitting Diode）が電気的に直列接続又は直並列接続されて構成されることが好ましい。ただし、光源はＬＥＤモジュール２に限定されず、有機エレクトロルミネッセンス素子又はレーザダイオードなどの固体光源であっても構わない。
【００１４】
電源装置１は、図１に示すように、外部電源９と電気的に接続される入力端子部１０と、入力端子部１０と電気的に接続されるフィルタ回路１１と、外部電源９からフィルタ回路１１を通して入力する電力を電力変換する電力変換回路１３とを備える。外部電源９は、例えば、商用の交流電源である。したがって、外部電源９は、電源電圧が１００Ｖ又は２００Ｖ（実効値）、電源周波数が５０Ｈｚ又は６０Ｈｚの交流電力を電源装置１に供給している。
【００１５】
入力端子部１０は、第１入力端子１０１と第２入力端子１０２を有する。第１入力端子１０１は、被覆電線からなる電源線によって外部電源９の正極と電気的に接続される。第２入力端子１０２は、被覆電線からなる電源線によって外部電源９の負極と電気的に接続される。なお、第１入力端子１０１及び第２入力端子１０２は、ねじ端子又はねじなし端子であってもよいし、後述する回路基板１６に形成されるランドであってもかまわない。
【００１６】
フィルタ回路１１は、コモンモード・チョーク・コイル１１０とライン・バイパス・コンデンサＣ１を有する。ライン・バイパス・コンデンサＣ１の第１端は、第１ヒューズＦ１を介して第１入力端子１０１と電気的に接続されている。また、ライン・バイパス・コンデンサＣ１の第２端は、第２ヒューズＦ２を介して第２入力端子１０２と電気的に接続されている。さらに、ライン・バイパス・コンデンサＣ１には、バリスタなどのサージ保護素子ＺＮＲ１が電気的に並列接続されている。
【００１７】
コモンモード・チョーク・コイル１１０は、二つの入力端子と二つの出力端子を有する。二つの入力端子は、ライン・バイパス・コンデンサＣ１の第１端及び第２端と一つずつ電気的に接続される。二つの出力端子は、整流回路１２の二つの交流入力端子と一つずつ電気的に接続される。また、二つの出力端子には、二つのサージ保護素子ＺＮＲ３、ＺＮＲ４の直列回路と、一つのサージ保護素子ＺＮＲ２が電気的に並列接続されている。さらに、二つのサージ保護素子ＺＮＲ３、ＺＮＲ４の接続点がサージ保護素子ＺＮＲ５を介して保護接地端子（ＰＥ：プロテクティブアース）１７と電気的に接続されている。なお、保護接地端子１７は、接地線によって保護導体（例えば、後述する器具本体４など）と電気的に接続される。ゆえに、保護接地端子１７の電位は安定した電位（安定電位）とみなすことができる。
【００１８】
整流回路１２は、ダイオードブリッジである。整流回路１２の二つの交流入力端子間に外部電源９から供給される交流電圧が入力される。整流回路１２の二つの脈流出力端子から、全波整流された脈流電圧が出力される。
【００１９】
電力変換回路１３は、昇降圧チョッパ回路（バック・ブースト・コンバータ回路）である。電力変換回路１３は、スイッチング素子Ｑ１、トランス１３０、ダイオードＤ１、入力コンデンサＣ２、出力コンデンサＣ３を有する。入力コンデンサＣ２は、整流回路１２の二つの脈流出力端子間に電気的に接続されている。スイッチング素子Ｑ１は、例えば、エンハンスメント形のＮチャネルＭＯＳＦＥＴ（metal-oxide-semiconductor field-effect transistor）である。ただし、スイッチング素子Ｑ１は、バイポーラトランジスタなどのＭＯＳＦＥＴ以外のパワートランジスタであってもかまわない。スイッチング素子Ｑ１のドレインは、整流回路１２の高電位側の脈流出力端子と電気的に接続されている。スイッチング素子Ｑ１のソースは、ダイオードＤ１のカソードと電気的に接続されている。
【００２０】
トランス１３０の一次巻線１３１の第１端がスイッチング素子Ｑ１のソースと電気的に接続され、一次巻線１３１の第２端が整流回路１２の低電位側の脈流出力端子と電気的に接続されている。トランス１３０の二次巻線１３２は、制御回路１４と電気的に接続されている。
【００２１】
ダイオードＤ１のアノードは出力コンデンサＣ３の低電位側の端子と電気的に接続されている。出力コンデンサＣ３は、例えば、電解コンデンサからなる平滑コンデンサである。出力コンデンサＣ３の高電位側の端子がトランス１３０の一次巻線１３１の第２端及びＬＥＤモジュール２の正極２０と電気的に接続されている。また、出力コンデンサＣ３の低電位側の端子は、検出用抵抗器Ｒ１を介してＬＥＤモジュール２の負極２１と電気的に接続されている。
【００２２】
制御回路１４は、例えば、パワートランジスタ駆動用の集積回路である。制御回路１４は、トランス１３０の二次巻線１３２に誘起される誘導起電力によって動作する。制御回路１４は、スイッチング素子Ｑ１のゲート・ソース間にハイレベルの駆動信号を出力する。スイッチング素子Ｑ１は、駆動信号が出力されている間、すなわち、ゲート・ソース間の電位差がスイッチング素子Ｑ１のしきい値電圧以上となる間だけオンする。スイッチング素子Ｑ１は、駆動信号が出力されていないとき、すなわち、ゲート・ソース間の電位差がしきい値電圧未満のときにオフする。
【００２３】
制御回路１４は、駆動信号を一定の周期でハイレベルにすることでスイッチング素子Ｑ１を一定の周期でオンする。また、制御回路１４は、検出用抵抗器Ｒ１の両端電圧に応じてスイッチング素子Ｑ１をオフするタイミングを調整する。すなわち、検出用抵抗器Ｒ１の両端電圧が低くなるほどスイッチング素子Ｑ１をオフするタイミングを遅くし、検出用抵抗器Ｒ１の両端電圧が高くなるほどスイッチング素子Ｑ１をオフするタイミングを早くする。つまり、制御回路１４は、電力変換回路１３の出力電流を定電流とするようにスイッチング素子Ｑ１をスイッチングしている。
【００２４】
回路部品１５は、例えば、金属板抵抗器である。回路部品１５の両端は、電力変換回路１３の出力コンデンサＣ３の高電位側の端子と電気的に接続されている。ただし、回路部品１５の抵抗値は、出力コンデンサＣ３の高電位側の端子とトランス１３０の一次巻線１３１の第２端を電気的に接続している導体の抵抗値に比べて十分に大きい。したがって、トランス１３０の一次巻線１３１の第２端から出力コンデンサＣ３及びＬＥＤモジュール２の正極２０に流れる電流のうち、回路部品１５に流れる電流はほぼゼロとみなすことができる。
【００２５】
電源装置１は、図２及び図３に示すように、長方形状の１枚の回路基板１６を有する。回路基板１６は、例えば、ガラス布基材エポキシ樹脂基板にプリント配線が形成されたプリント配線板である。回路基板１６の片面が部品実装面１６０となる。ただし、回路基板１６は、ガラス布基材エポキシ樹脂基板以外の絶縁基板で形成されても構わない。また、回路基板１６は、両面実装基板であっても構わない。なお、電源装置１は、複数枚の回路基板を有していても構わない。
【００２６】
以下の説明においては、特に断りのない限り、図３に矢印で示す前後、左右、及び上下の各方向を電源装置１の前後、左右、及び上下の各方向と規定する。したがって、回路基板１６の上面が部品実装面１６０となる。なお、プリント配線は、回路基板１６の上面（部品実装面１６０）と下面の両面に形成されている。
【００２７】
回路基板１６の左側の前端に、第１入力端子１０１、第２入力端子１０２、及び保護接地端子１７が設けられている（図２及び図３参照）。第１入力端子１０１、第２入力端子１０２、及び保護接地端子１７は、スルーホールめっき及びランドで形成されている。
【００２８】
回路基板１６の部品実装面１６０のほぼ中央に、電力変換回路１３のトランス１３０が実装されている（図２参照）。そして、トランス１３０を含めて電力変換回路１３を構成する出力コンデンサＣ３、ダイオードＤ１などが、部品実装面１６０の中央から右側の領域に実装されている（図２及び図３参照）。ただし、出力コンデンサＣ３は、実際は、二つの電解コンデンサで構成されている。また、ダイオードＤ１は、実際は、三つのダイオードで構成されている（図２参照）。
【００２９】
一方、部品実装面１６０の中央から左側の領域に、フィルタ回路１１などが実装されている。フィルタ回路１１のコモンモード・チョーク・コイル１１０は、部品実装面１６０の左側の領域において、部品実装面１６０の前後方向の中央に実装されている（図２及び図３参照）。すなわち、コモンモード・チョーク・コイル１１０は、部品実装面１６０の長手方向（左右方向）に沿って、トランス１３０と隣り合うように配置されている。また、コモンモード・チョーク・コイル１１０とトランス１３０の間に、回路部品１５が実装されている。
【００３０】
回路部品１５は、図４に示すように、Ｓ字状に形成された抵抗体（導体）１５０と、抵抗体１５０から突き出た２本のリード１５１と、抵抗体１５０を覆う電気絶縁体１５２と、抵抗体１５０及び電気絶縁体１５２を収容するケース１５３とを有する。抵抗体１５０は、例えば、金属板である。電気絶縁体１５２は、例えば、セメントである。電気絶縁体１５２は、抵抗体１５０を包み込むように直方体状に形成されている。ケース１５３は、セラミックス製であり、直方体状に形成されて電気絶縁体１５２を収容している。
【００３１】
ここで、本発明者らは、コモンモード・チョーク・コイル１１０とトランス１３０の間に回路部品１５を実装した場合、回路部品１５を実装しない場合に比べて、電源装置１の外部に漏れるノイズ（雑音端子電圧）が２〜３ｄＢほど低下することを見いだした。
【００３２】
コモンモード・チョーク・コイル１１０とトランス１３０の間に回路部品１５を実装しない場合、電力変換回路１３から放射される輻射ノイズ（電磁波）がコモンモード・チョーク・コイル１１０と鎖交する。そして、鎖交する輻射ノイズが多いほど、コモンモード・チョーク・コイル１１０に大きな誘導起電力が発生すると推定される。当該誘導起電力により、コモンモード・チョーク・コイル１１０の往路と復路の各々の電路に流れる電流のバランスが崩れるため、雑音端子電圧が上昇すると考えられる。
【００３３】
これに対して、部品実装面１６０上において電力変換回路１３とコモンモード・チョーク・コイル１１０の距離を大きくすれば、輻射ノイズによってコモンモード・チョーク・コイル１１０に生じる誘導起電力を低減し、雑音端子電圧を低下させることができる。しかしながら、回路基板１６を大型化せずに電力変換回路１３とコモンモード・チョーク・コイル１１０の距離を大きくすることは非常に難しい。なお、電力変換回路１３において、輻射ノイズの放射量が最も多い部品はトランス１３０だと推測される。
【００３４】
そこで、コモンモード・チョーク・コイル１１０とトランス１３０の間に回路部品１５を配置することにより、トランス１３０からコモンモード・チョーク・コイル１１０への輻射ノイズの伝搬経路の一部が、回路部品１５の導体（抵抗体１５０）で遮られる。そのため、コモンモード・チョーク・コイル１１０と鎖交する輻射ノイズが減少する。つまり、コモンモード・チョーク・コイル１１０とトランス１３０の間に、導体（回路部品１５の抵抗体１５０）が存在することにより、電力変換回路１３とコモンモード・チョーク・コイル１１０の距離を大きくしたときと同じ状況になる。特に、回路部品１５の導体（抵抗体１５０）は電気絶縁体１５２で覆われているので、回路部品１５とコモンモード・チョーク・コイル１１０及びトランス１３０との絶縁距離を考慮する必要性が低下する。その結果、コモンモード・チョーク・コイル１１０とトランス１３０の間に回路部品１５を実装した場合、回路部品１５を実装しない場合に比べて、電源装置１の雑音端子電圧が２〜３ｄＢほど低下すると考えられる。ただし、回路部品１５の導体（抵抗体１５０）は、安定電位と同電位であることが望ましい。なお、回路部品１５は、一対のリード１５１を電源装置１の前後方向に並べる向きで部品実装面１６０に実装されることが好ましい。回路部品１５が上述のように部品実装面１６０に実装されれば、コモンモード・チョーク・コイル１１０とトランス１３０が並ぶ方向（左右方向）から見た抵抗体１５０の面積が最も大きくなる。その結果、抵抗体１５０によって遮られる輻射ノイズの伝搬経路を大きくして、雑音端子電圧の更なる低減を図ることができる。
【００３５】
また、回路部品１５は、電力変換回路１３よりもフィルタ回路１１（コモンモード・チョーク・コイル１１０）に近い位置に配置されることが好ましい。つまり、回路部品１５がコモンモード・チョーク・コイル１１０の近くに位置するほど、導体（抵抗体１５０）によって遮られる伝搬経路が大きくなる（鎖交する輻射ノイズが減少する）と考えられる。ゆえに、回路部品１５が電力変換回路１３よりもコモンモード・チョーク・コイル１１０に近い位置に配置されることにより、雑音端子電圧の更なる低減を図ることができる。
【００３６】
さらに、回路部品１５は、電気的な接続のためのリード１５１を有する。ゆえに、回路部品１５が回路基板１６の部品実装面１６０に挿入実装されることにより、電力変換回路１３（トランス１３０）とフィルタ回路１１（コモンモード・チョーク・コイル１１０）の間に回路部品１５が容易に配置できる。したがって、電源装置１の組立作業の簡素化を図ることができる。
【００３７】
ところで、回路部品１５は金属板抵抗器に限定されない。例えば、回路部品１５は、バリスタでもよい。バリスタ（回路部品１５）は、図５Ａ及び図５Ｂに示すように、円盤形のバリスタ素子１５４と、バリスタ素子１５４の表裏両面に形成された電極１５５（導体）と、一対のリード１５１と、バリスタ素子１５４及び電極１５５を覆う外装１５６とを有する。バリスタ素子１５４の表裏両面に形成された電極１５５の各々は、一対のリード１５１と一つずつ電気的に接続されている。なお、外装１５６はエポキシ樹脂などの電気絶縁性を有する合成樹脂材料で形成されている。
【００３８】
あるいは、回路部品１５は、セラミックコンデンサでもよい。セラミックコンデンサ（回路部品１５）は、図６Ａ及び図６Ｂに示すように、円盤形の誘電体１５７と、誘電体１５７の表裏両面に形成された電極１５５（導体）と、一対のリード１５１と、誘電体１５７及び電極１５５を覆う外装１５６とを有する。誘電体１５７の表裏両面に形成された電極１５５の各々は、一対のリード１５１と一つずつ電気的に接続されている。
【００３９】
さらに、回路部品１５は、インダクタでもよい。インダクタ（回路部品１５）は、図７Ａ及び図７Ｂに示すように、コイル（導体）を円筒状のケース１５８（絶縁体）に収容し、ケース１５８から２本のリード１５１を突き出させている。その他、回路部品１５は、フィルムコンデンサ、酸化金属皮膜抵抗器、電流ヒューズなどでもよい。
【００４０】
本発明者らの実験では、金属板抵抗器以外の回路部品１５（バリスタ、セラミックコンデンサ、インダクタ、フィルムコンデンサ、酸化金属皮膜抵抗器及び電流ヒューズ）においても電源装置１の雑音端子電圧を２〜３ｄＢ程度低下可能であることが確認されている。
【００４１】
次に、本開示の実施形態に係る照明器具３を説明する。照明器具３は、図８に示すように、道路に沿って配置される照明用ポール（照明柱）などに取り付けられる道路照明器具又は街路照明器具である。ただし、照明器具３は道路照明器具及び街路照明器具に限定されない。照明器具３は、道路照明器具及び街路照明器具以外の屋外用の照明器具でもよいし、屋内用の照明器具であっても構わない。
【００４２】
照明器具３は、電源装置（点灯装置）１と、光源（ＬＥＤモジュール２）と、器具本体４と、枠５と、透光パネル６とを備える（図８参照）。器具本体４は、開口部を有する箱形に形成され、開口部に対向させるようにＬＥＤモジュール２を収容する。
【００４３】
器具本体４は、第１収容部４１と第２収容部４２とを有している。第１収容部４１と第２収容部４２は、アルミダイカストによって一体に形成されている。第１収容部４１は、箱形に形成されている。第１収容部４１の下面の一部が開口している。第１収容部４１には、電源装置（点灯装置）１、端子台などが収容される。
【００４４】
第２収容部４２は、下面に開口部を有した矩形の箱状に形成されている。第２収容部４２は、第１収容部４１の下面の開口した一部を囲むように第１収容部４１と一体に形成されている。第２収容部４２内にＬＥＤモジュール２が収容される。
【００４５】
透光パネル６は、矩形平板状のガラス板で構成されている。枠５は、中央に矩形の窓５００を有した矩形の枠本体５０と、枠本体５０の周縁から全周にわたって上向きに突出する周壁５１とを有している。なお、枠本体５０と周壁５１はアルミダイカストによって一体に形成されている。枠５は、周壁５１の内側に透光パネル６を収め、かつ、第２収容部４２に周壁５１を挿入するようにして、器具本体４に装着される（図８参照）。枠５は、６本の固定ねじ５２によって器具本体４に固定される。
【００４６】
器具本体４の後端（第１収容部４１の後端）から取付具７が突出している（図８参照）。取付具７は、直線形照明用ポールのアームに器具本体４を取り付けるためのアダプタである。取付具７は、アルミダイカストによって有底円筒形に形成され、直線形照明用ポールのアームを内部に収めるように構成される。また、取付具７の周面には固定用のボルト７０が複数取り付けられている。つまり、これらのボルト７０が締め込まれることにより、アームに対して取付具７が抜け止めされ、アームに器具本体４が取り付けられる。
【００４７】
実施形態に係る照明器具３は、実施形態に係る電源装置（点灯装置）１を備えることにより、外部に漏れるノイズ（雑音端子電圧）の低減と小型化を図ることができる。
【００４８】
上述のように第１の態様に係る電源装置（１）は、外部電源（９）と電気的に接続される入力端子部（１０）と、入力端子部（１０）と電気的に接続されるフィルタ回路（１１）とを備える。第１の態様に係る電源装置（１）は、外部電源（９）からフィルタ回路（１１）を通して入力する電力を電力変換する電力変換回路（１３）を備える。第１の態様に係る電源装置（１）は、電気的な導体（抵抗体１５０；電極１５５）及び導体を覆う電気的な絶縁体（電気絶縁体１５２；外装１５６）を有する回路部品（１５）を備える。回路部品（１５）は、フィルタ回路（１１）と電力変換回路（１３）の間の空間に配置されている。
【００４９】
第１の態様に係る電源装置（１）は、回路部品（１５）の導体によって電力変換回路（１３）からフィルタ回路（１１）への輻射ノイズの伝搬経路の一部が遮られるため、外部に漏れるノイズ（雑音端子電圧）の低減と小型化を図ることができる。
【００５０】
第２の態様に係る電源装置（１）は、第１の態様との組合せにより実現され得る。第２の態様に係る電源装置（１）において、回路部品（１５）は、電力変換回路（１３）の安定電位と電気的に接続されていることが好ましい。
【００５１】
第２の態様に係る電源装置（１）は、回路部品（１５）の導体の電位が安定電位と同電位になるため、ノイズの更なる低減を図ることができる。
【００５２】
第３の態様に係る電源装置（１）は、第１又は第２の態様との組合せにより実現され得る。第３の態様に係る電源装置（１）において、回路部品（１５）は、電力変換回路（１３）よりもフィルタ回路（１１）に近い位置に配置されていることが好ましい。
【００５３】
第３の態様に係る電源装置（１）は、回路部品（１５）がフィルタ回路（１１）の近くに位置するほど、導体によって遮られる伝搬経路が大きくなるため、ノイズの更なる低減を図ることができる。
【００５４】
第４の態様に係る電源装置（１）は、第１〜第３の態様のいずれか一つとの組合せにより実現され得る。第４の態様に係る電源装置（１）において、回路部品（１５）は、導体と電気的に接続され、かつ、絶縁体から突き出た１乃至複数のリード（１５１）を有することが好ましい。
【００５５】
第４の態様に係る電源装置（１）は、リード（１５１）により、回路部品（１５）の導体を回路部品（１５）の外の導体と容易に電気的に接続することができる。
【００５６】
第５の態様に係る電源装置（１）は、第４の態様との組合せにより実現され得る。第５の態様に係る電源装置（１）において、少なくともフィルタ回路（１１）及び電力変換回路（１３）が形成される回路基板（１６）を備えることが好ましい。回路部品（１５）は、１乃至複数のリード（１５１）によって回路基板（１６）の部品実装面（１６０）に挿入実装されていることが好ましい。
【００５７】
第５の態様に係る電源装置（１）は、リード（１５１）によって回路基板（１６）の部品実装面（１６０）に回路部品（１５）が挿入実装されれば、回路基板（１６）に対して回路部品（１５）を簡単に固定することができる。
【００５８】
第６の態様に係る電源装置（１）は、第１〜第５の態様のいずれか一つとの組合せにより実現され得る。第６の態様に係る電源装置（１）において、回路部品（１５）は、導体である金属板（抵抗体１５０）を有する金属板抵抗器であることが好ましい。
【００５９】
第６の態様に係る電源装置（１）は、回路部品（１５）を金属板抵抗器とすれば、導体の面積を大きくしてノイズの更なる低減を図ることができる。
【００６０】
第７の態様に係る電源装置（１）は、第１〜第６の態様のいずれか一つとの組合せにより実現され得る。第７の態様に係る電源装置（１）において、電力変換回路（１３）は、インダクタンスを有する第１回路素子（トランス１３０）を備えることが好ましい。フィルタ回路（１１）は、インダクタンスを有する第２回路素子（コモンモード・チョーク・コイル１１０）を備えることが好ましい。回路部品（１５）は、第１回路素子と第２回路素子の間の空間に配置されていることが好ましい。
【００６１】
第７の態様に係る電源装置（１）は、輻射ノイズの発生源となる第１回路素子から外部に漏れるノイズ（雑音端子電圧）のノイズ源となる第２回路素子への伝搬経路の一部を回路部品（１５）の導体で遮ることができる。その結果、第７の態様に係る電源装置（１）は、ノイズの更なる低減を図ることができる。
【００６２】
第８の態様に係る点灯装置（１）は、第１〜第７の態様のいずれか一つの電源装置（１）を備える。第８の態様に係る点灯装置（１）は、電源装置（１）から、負荷である光源（ＬＥＤモジュール２）に電力を供給して光源を点灯させる。
【００６３】
第８の態様に係る点灯装置（１）は、外部に漏れるノイズ（雑音端子電圧）の低減と小型化を図ることができる。
【００６４】
第９の態様に係る照明器具（３）は、第８の態様に係る点灯装置（１）と、点灯装置（１）によって点灯させられる光源と、少なくとも光源を保持する器具本体（４）とを備える。
【００６５】
第９の態様に係る照明器具（３）は、外部に漏れるノイズ（雑音端子電圧）の低減と小型化を図ることができる。
【符号の説明】
【００６６】
１  電源装置（点灯装置）
２  ＬＥＤモジュール（負荷；光源）
３  照明器具
４  器具本体
９  外部電源
１０  入力端子部
１１  フィルタ回路
１３  電力変換回路
１５  回路部品
１６  回路基板
１１０  コモンモード・チョーク・コイル（第２回路素子）
１３０  トランス（第１回路素子）
１５０  抵抗体（導体）
１５１  リード
１５２  電気絶縁体（電気的な絶縁体）
１５５  電極（導体）
１５６  外装（電気的な絶縁体）
１６０  部品実装面
【図１】
2020053231.tif 000003
【図２】
2020053231.tif 000004
【図３】
2020053231.tif 000005
【図４】
2020053231.tif 000006
【図５】
2020053231.tif 000007
【図６】
2020053231.tif 000008
【図７】
2020053231.tif 000009
【図８】
2020053231.tif 000010